(57)【特許請求の範囲】
【請求項１】
ディスク型記録媒体に当接して該ディスク型記録媒体を保持する保持板と、
前記保持板を挟み込むように折り畳み可能に連接した２枚の表面板と、
前記保持板及び前記２枚の表面板と連接し、前記２枚の表面板が折り畳まれた場合と見開かれた場合とで異なる折り状態を具備し、該折り状態によって、前記２枚の表面板が折り畳まれた場合と見開かれた場合とで前記保持板の前記表面板に対する相対位置を変化させる折り片部とを有してなるディスク型記録媒体保持体において、
前記保持板は、記録された２種類の音声情報の再生を可能に構成され、前記２種類の音声情報をそれぞれ再生するための２つの配線のそれぞれ一部が開放された２つの開放部を具備してなるシート状の音声情報記録／再生手段を、前記２つの開放部が前記ディスク型記録媒体に当接する面とは反対側の面にて表出するように有し、
前記２枚の表面板のうち前記保持板の前記２つの開放部が表出した面に対向する表面板は、
前記２枚の表面板が折り畳まれた場合に前記２つの開放部のうち一方の開放部に対向する第１の導電部と、
前記２枚の表面板が見開かれた場合に前記２つの開放部のうち他方の開放部に対向する第２の導電部とを有することを特徴とするディスク型記録媒体保持体。
【請求項２】
請求項１に記載にディスク型記録媒体保持板において、
前記保持板は、前記ディスク型記録媒体に当接する面に、前記ディスク型記録媒体のハブ孔に嵌合する支え部を有し、
前記２つの開放部は、前記支え部に対向する領域に設けられていることを特徴とするディスク型記録媒体保持体。
【発明の詳細な説明】
【技術分野】
【０００１】
本発明は、ＣＤ（Compact Disc）やＤＶＤ（Digital Versatile Disc）等のディスク型記録媒体を保持するディスク型記録媒体保持体に関する。
【背景技術】
【０００２】
従来より、音楽や映像は、老若男女を問わず娯楽の１つとして楽しまれており、これらは、ＣＤやＤＶＤ等のディスク型記録媒体に記録され、販売されたり貸し出されたりする。このようなディスク型記録媒体は、熱やほこり、磨耗に強く、また、映像を記録するビデオテープよりも小型であるため、音楽や映像を記録する記録媒体として近年主流のものとなっており、プラスチックや紙等からなる収納ケースに収納された状態で、販売されたり貸し出されたりしている。
【０００３】
このように、ディスク型記録媒体を収納する収納ケースにおいては、収納ケースが紙から構成されている場合は、映像の一部やミュージシャンの写真等が掲載されていたり、音楽の歌詞が掲載されていたりするものが用いられており、また、収納ケースがプラスチックから構成されている場合は、上述したような写真や歌詞が印刷されたものが収納ケースにディスク型記録媒体とともに収納されているものが用いられている。
【０００４】
ところが、このように写真や歌詞が掲載されているだけでは、近年の多様性を求める消費者にとって魅力的なものとは言えず、ディスク型記録媒体の販売量は、そのディスク型記録媒体に記録された音楽や映像そのものの人気に頼るしかなかった。そこで、イメージやムードを高めるために、振動したり触れたりした場合に発光素子が発光する電飾発光機能を有するＣＤケースが考えられている（例えば、特許文献１参照。）。このように、ディスク型記録媒体を収納するＣＤケースに電飾発光機能を付与することにより、ディスク型記録媒体に記録された音楽や映像に興味がない消費者もそのディスク型記録媒体を手にとって見ることとなり、宣伝効果を生じさせることができるようになる。
【特許文献１】特開２００３−１２０８１号公報
【発明の開示】
【発明が解決しようとする課題】
【０００５】
しかしながら、上述したようにディスク型記録媒体を収納するＣＤケースに電飾発光する機能を付与したものにおいては、振動したり触れたりした場合に発光素子が発光するだけであるため、ＣＤケースに収納されたディスク型記録媒体に記録された音楽や映像に関する情報を消費者に訴えることができず、そのため、ＣＤケースが発光して消費者がそのＣＤケースに興味を起こさせることができるものの、そのＣＤケースに収納されたディスク型記録媒体には興味を起こさせることができず、大きな宣伝効果を生じさせることができるとは言い難い。
【０００６】
本発明は、上述したような従来の技術が有する問題点に鑑みてなされたものであって、保持されたディスク型記録媒体について大きな宣伝効果を生じさせることができるディスク型記録媒体保持体を提供することを目的とする。
【課題を解決するための手段】
【０００７】
上記目的を達成するために本発明は、
ディスク型記録媒体に当接して該ディスク型記録媒体を保持する保持板と、
前記保持板を挟み込むように折り畳み可能に連接した２枚の表面板と、
前記保持板及び前記２枚の表面板と連接し、前記２枚の表面板が折り畳まれた場合と見開かれた場合とで異なる折り状態を具備し、該折り状態によって、前記２枚の表面板が折り畳まれた場合と見開かれた場合とで前記保持板の前記表面板に対する相対位置を変化させる折り片部とを有してなるディスク型記録媒体保持体において、
前記保持板は、記録された２種類の音声情報の再生を可能に構成され、前記２種類の音声情報をそれぞれ再生するための２つの配線のそれぞれ一部が開放された２つの開放部を具備してなるシート状の音声情報記録／再生手段を、前記２つの開放部が前記ディスク型記録媒体に当接する面とは反対側の面にて表出するように有し、
前記２枚の表面板のうち前記保持板の前記２つの開放部が表出した面に対向する表面板は、
前記２枚の表面板が折り畳まれた場合に前記２つの開放部のうち一方の開放部に対向する第１の導電部と、
前記２枚の表面板が見開かれた場合に前記２つの開放部のうち他方の開放部に対向する第２の導電部とを有することを特徴とする。
【０００８】
上記のように構成された本発明においては、ディスク型記録媒体を保持する保持板に、記録された２種類の音声情報の再生を可能に構成されたシート状の音声情報記録／再生手段が設けられている。この音声情報記録／再生手段には、記録された２種類の音声情報をそれぞれ再生するための２つの配線が設けられているが、この２つの配線は、それぞれその一部が開放されており、この２つの開放部が、保持板のディスク型記録媒体に当接する面とは反対側の面に表出している。保持板は、折り片部の折り状態によって、２枚の表面板が折り畳まれた場合と見開かれた場合とで表面板に対する相対位置が変化する。そして、２枚の表面板のうち保持板の２つの開放部が表出した面に対向する表面板には、２枚の表面板が折り畳まれた場合に２つの開放部のうち一方の開放部に対向する第１の導電部と、２枚の表面板が見開かれた場合に２つの開放部のうち他方の開放部に対向する第２の導電部とが設けられているため、２枚の表面板が折り畳まれた状態にて開放部に対向する領域を押下すると、一方の開放部が第１の導電部によって導通し、音声情報記録／再生手段に記録された２種類の音声情報のうち、導通した開放部を有する配線によって再生される音声情報が再生され、また、２枚の表面板が見開かれた状態にて開放部に対向する領域を押下すると、他方の開放部が第２の導電部によって導通し、音声情報記録／再生手段に記録された２種類の音声情報のうち、導通した開放部を有する配線によって再生される音声情報が再生される。
【０００９】
このように、２枚の表面板が折り畳まれた状態と見開かれた状態とで、開放部に対向する領域が押下されることにより異なる音声情報が再生されることになるので、例えば、音声情報記録／再生手段に、２枚の表面板が折り畳まれた状態にて再生される音声情報として、保持されたディスク型記録媒体の種類によらない一律の音声情報を記録しておき、また、２枚の表面板が見開かれた状態にて再生される音声情報として、保持されたディスク型記録媒体に応じた情報を記録しておけば、保持されたディスク型記録媒体について大きな宣伝効果を生じさせることができる。
【００１０】
また、前記保持板は、前記ディスク型記録媒体に当接する面に、前記ディスク型記録媒体のハブ孔に嵌合する支え部を有し、
前記２つの開放部は、前記支え部に対向する領域に設けられている構成とすることも考えられる。
【００１１】
この場合、２枚の表面板が見開かれた状態にてディスク型記録媒体をディスク型記録媒体保持体から離脱するために支え部が押されるだけで、配線の開放部が第２の導電部にて導通し、２枚の表面板が見開かれた状態にて再生される音声情報が再生されることになる。
【発明の効果】
【００１２】
以上説明したように本発明においては、２枚の表面板が折り畳まれた状態と見開かれた状態とで、ディスク型記録媒体を保持する保持板の表面板に対する相対位置が変化することを利用し、保持板に設けられた音声情報記録／再生手段に記録された２種類の音声情報をそれぞれ再生するための２つの配線それぞれの開放部に対して、２枚の表面板が折り畳まれた状態にて一方の開放部に対向する第１の導電部と、２枚の表面板が見開かれた状態にて他方の開放部に対向する第２の導電部とを表面板に有する構成としたため、２枚の表面板が折り畳まれた状態と見開かれた状態とで、開放部に対向する領域が押下されることにより異なる音声情報が再生されることになり、保持されたディスク型記録媒体について大きな宣伝効果を生じさせることができる。
【００１３】
また、保持板が、ディスク型記録媒体に当接する面に、ディスク型記録媒体のハブ孔に嵌合する支え部を有し、２つの開放部が、支え部に対向する領域に設けられている構成としたものにおいては、２枚の表面板が見開かれた状態にてディスク型記録媒体をディスク型記録媒体保持体から離脱するために支え部を押すだけで、配線の開放部が第２の導電部にて導通し、２枚の表面板が見開かれた状態にて再生される音声情報を再生することができる。
【発明を実施するための最良の形態】
【００１４】
以下に、本発明の実施の形態について図面を参照して説明する。
【００１５】
図１は、本発明のディスク記録媒体保持体の実施の一形態となるＣＤケースを示す図であり、（ａ）は外観図、（ｂ）は（ａ）に示した保持板５０内部の構成を示す図、（ｃ）は（ｂ）に示したＡ−Ａ’断面図である。また、図２は、図１に示した保持板５０の積層状態を示す図である。また、図３は、図１に示した表面板７０ａ，７０ｂの構造を示す図であり、（ａ）は表面板７０ａの折り畳み状態外側となる面を示す図、（ｂ）は表面板７０ｂの折り畳み状態内側となる面を示す図である。
【００１６】
本形態は図１に示すように、ディスク型記録媒体であるＣＤを保持する保持板５０と、保持板５０を挟み込むようにまち部７１を介して折り畳み可能に連接した２枚の表面板７０ａ，７０ｂと、保持板５０及び表面板７０ａ，７０ｂと連接し、２枚の表面板７０ａ，７０ｂの折り畳み状態に応じて保持板５０の表面板７０ａ，７０ｂに対する相対位置を変化させる折り片部６０とから構成されている。
【００１７】
折り片部６０は、６つの片部６１ａ〜６１ｆが折り部６２ａ〜６２ｆを介して折り畳み可能に連接して構成されている。片部６１ａは、表面板７０ａの折り畳み状態内側の面に接着剤（不図示）等によって接着されており、それにより、表面板７０ａと折り片部６０とが連接している。片部６１ｂは、折り部６２ａを介して片部６１ａと連接し、また、折り部６２ｂを介して片部６１ｃと連接し、また、折り部６２ｅを介して片部６１ｅと連接している。片部６１ｃは、折り部６２ｃを介して片部６１ｄと連接し、また、折り部６２ｆを介して片部６１ｆと連接している。片部６１ｅは、折り部６２ｄを介して片部６１ｆと連接している。また、片部６１ｆが、保持板５０を構成する表面シート１０ａと一体構造となっていることにより、保持板５０と折り片部６０とが連接している。また、片部６１ｄは、表面板７０ｂの折り畳み状態内側の面に接着剤（不図示）等によって接着されており、それにより、表面板７０ｂと折り片部６０とが連接している。
【００１８】
保持板５０は図１及び図２に示すように、記録された音声情報の再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０を挟み込んだ支持シート２０ａ，２０ｂのうち一方の支持シート２０ａに、その外形が支持シート２０ａ，２０ｂと同一形状であって、紙基材等の柔軟性を有し、かつ薄型の基材からなる表面シート１０が積層されている。なお、表面シート１０、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００１９】
音声情報記録／再生部３０は、音声情報が記録されるＩＣチップをそれぞれ具備する２つのＩＣ基板３２ａ，３２ｂと、ＩＣ基板３２ａ，３２ｂに記録された音声情報を再生するための配線パターン３３ａ，３４ａ，３３ｂ，３４ｂがそれぞれ形成されたフィルム基板３５と、ピエゾ素子４１、振動板４２及びフィルムシート（不図示）からシート状に構成され、再生された音声情報を出力するための音声情報出力部４０と、ＩＣ基板３２ａ，３２ｂに接続され、ＩＣ基板３２ａ，３２ｂに電源を供給するための薄型のコイン電池３１とから構成されている。なお、ＩＣ基板３２ａ，３２ｂと、コイン電池３１及びピエゾ素子４１とはそれぞれ、はんだ溶接されたリード線を介して互いに電気的に接続されている。また、フィルム基板３５上に形成された配線パターン３３ａ，３４ａ，３３ｂ，３４ｂとＩＣ基板３２ａ，３２ｂとについても、はんだ溶接されたリード線を介して互いに電気的に接続されている。ＩＣ基板３２ａ，３２ｂ内のＩＣチップは、メモリ領域に記録された音声情報を音声情報出力部４０を介して出力する制御を行うものであって、コイン電池３１によって電源が供給されるポート端子や、グランド電位に接続されたポート端子や、メモリ領域に記録された音声情報を音声情報出力部４０に出力するためのポート端子や、メモリ領域に記録された音声情報を音声情報出力部４０を介して出力するための指示信号が入力されるポート端子等を有し、このうち、メモリ領域に記録された音声情報を音声情報出力部４０を介して出力するための指示信号が入力されるポート端子がグランド電位となった場合、メモリ領域に記録された音声情報を音声情報出力部４０を介して出力する。フィルム基板３５上に形成された配線パターン３３ａ，３４ａ，３３ｂ，３４ｂは、配線パターン３３ａ，３３ｂの一端が、ＩＣ基板３２ａ，３２ｂ内のＩＣチップのポート端子のうち、メモリ領域に記録された音声情報を音声情報出力部４０を介して出力するための指示信号が入力されるポート端子にそれぞれ接続され、また、配線パターン３４ａ，３４ｂの一端が、ＩＣ基板３２ａ，３２ｂをそれぞれ介してコイン電池３１のグランド電位に接続されている。すなわち、配線パターン３３ａ，３４ａが、ＩＣ基板３２ａのメモリ領域に記録された音声情報を再生するための配線であって、配線パターン３３ａ，３４ａ間が、この配線が開放された開放部となり、また、配線パターン３３ｂ，３４ｂが、ＩＣ基板３２ｂのメモリ領域に記録された音声情報を再生するための配線であって、配線パターン３３ｂ，３４ｂ間が、この配線が開放された開放部となっている。これら配線パターン３３ａ，３４ａ，３３ｂ，３４ｂは、保持板５０の表面シート１０とは反対側の面にて表出しており、それにより、配線パターン３３ａ，３４ａ間、並びに配線パターン３３ｂ，３４ｂ間が開放された開放部も、保持板５０の表面シート１０とは反対側の面にて表出している。また、フィルム基板３５上には、配線パターン３３ａ，３４ａ，３３ｂ，３４ｂを取り囲むように、樹脂等からなり所定の高さを有するスペーサ３６が設けられている。
【００２０】
表面シート１０は、ＣＤを保持した場合にＣＤが当接する当接面を構成するものであって、配線パターン３３ａ，３４ａ間、並びに配線パターン３３ｂ，３４ｂ間の開放部と対向する領域に、保持するＣＤのハブ孔に嵌合する支え部材５１が設けられている。この支え部材５１は、紙材やウレタン系、プラスチック、アクリル、布等、ＣＤのハブ孔に嵌合することによりＣＤを保持可能とするものから構成されていればよいが、支え部材５１が押された場合にその圧力がフィルム基板３５に伝達される程度の柔軟性を有するものである必要がある。また、音声情報出力部４０と対向する領域に、音声情報出力部４０から出力された音声を外部に出力するための微細な穴が羅列されてなる音声出力領域１１が形成されている。このように微細な穴が羅列されてなる音声出力領域１１が形成されているため、音声情報出力部４０の表面が表面シート１０で覆われた状態であっても、音声情報出力部４０から出力される音量の低下を補うことができる。なお、音声出力領域１１においては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。
【００２１】
支持シート２０ａにおいては、音声情報記録／再生部３０と積層された場合に、音声情報出力部４０に対向する領域に穴部２１が形成され、また、コイン電池３１に対向する領域に穴部２２が形成され、また、ＩＣ基板３２ａ，３２ｂに対向する領域にそれぞれ穴部２３ａ，２３ｂが形成されている。そして、穴部２１は音声情報出力部４０よりも小さく、また、穴部２２はコイン電池３１よりも大きく、また、穴部２３ａ，２３ｂはそれぞれＩＣ基板３２ａ，３２ｂよりも大きくなっている。
【００２２】
支持シート２０ｂにおいては、音声情報記録／再生部３０と積層された場合に、音声情報出力部４０、コイン電池３１、ＩＣ基板３２ａ，３２ｂ及びフィルム基板３５に対向する領域に、これら音声情報出力部４０、コイン電池３１、ＩＣ基板３２ａ，３２ｂ及びフィルム基板３５を含む大きさを有する穴部２４が形成されている。
【００２３】
このように、支持シート２０ａの、音声情報出力部４０、コイン電池３１及びＩＣ基板３２ａ，３２ｂと対向する領域に穴２１，２２，２３ａ，２３ｂがそれぞれ形成され、また、支持シート２０ｂの、音声情報出力部４０、コイン電池３１、ＩＣ基板３２ａ，３２ｂ及びフィルム基板３５と対向する領域に穴部２４が形成されることにより、コイン電池３１、ＩＣ基板３２ａ，３２ｂ、フィルム基板３５及び音声情報出力部４０が設けられている領域と他の領域とで厚さの差が小さくなり、それにより、音声情報記録／再生部３０を内蔵しながらも保持板５０全体の平坦性が向上する。さらには、音声情報記録／再生部３０の最も厚い部分の厚さに対して、支持シート２０ａ，２０ｂの厚さを合計した厚さを同等、若しくは厚くすることにより、保持板５０全体をほぼ平坦な状態とすることができる。また、２枚の支持シート２０ａ，２０ｂと表面シート１０との積層構造により、保持板５０の剛性を高めることができる。
【００２４】
表面板７０ａ，７０ｂは、まち部７１を介して折り畳み可能に連接しており、まち部７１にて折り畳まれた場合、保持板５０及び折り片部６０を挟み込む。
【００２５】
表面板７０ａは図３（ａ）に示すように、２枚の表面板７０ａ，７０ｂが折り畳まれた場合における折り畳み状態外側となる面に、外部から表面板７０ａを押すための押下部７３が設けられている。この押下部７３は、２枚の表面板７０ａ，７０ｂが折り畳まれた場合に支え部材５１に対向する領域に設けられている。
【００２６】
また、表面板７０ｂは図３（ｂ）に示すように、２枚の表面板７０ａ，７０ｂが折り畳まれた場合における折り畳み状態内側となる面に、第１の導電部７２ａ及び第２の導電部７２ｂが形成されている。この２つの導電部７２ａ，７２ｂのうち第１の導電部７２ａは、２枚の表面板７０ａ，７０ｂが折り畳まれた場合に、配線パターン３３ａ，３４ａ間が開放された開放部に対向する領域に形成されており、また、第２の導電部７２ｂは、２枚の表面板７０ａ，７０ｂが見開かれた場合に、配線パターン３３ｂ，３４ｂ間が開放された開放部に対向する領域に形成されている。
【００２７】
以下に、上記のように構成されたＣＤケース１の動作について説明する。
【００２８】
まず、２枚の表面板７０ａ，７０ｂを折り畳んだ状態の動作について説明する。
【００２９】
図４は、図１〜図３に示したＣＤケース１について２枚の表面板７０ａ，７０ｂを折り畳んだ状態における動作を説明するための図であり、（ａ）は２枚の表面板７０ａ，７０ｂを折り畳んだ状態を示す外観図、（ｂ）は２枚の表面板７０ａ，７０ｂを折り畳んだ状態におけるフィルム基板３５と導電部７２ａとの位置関係を示す図、（ｃ）はフィルム基板３５と導電部７２ａとが対向した状態にて押下部７３が押下されていない状態の断面図、（ｄ）はフィルム基板３５と導電部７２ａとが対向した状態にて押下部７３が押下された状態の断面図、（ｅ）は（ｃ）に示した状態における等価回路図、（ｆ）は（ｄ）に示した状態における等価回路図である。
【００３０】
ＣＤ２がＣＤケース１に収納された状態においては、ＣＤ２のハブ孔に保持板５０の支え部材５１が嵌合し、保持板５０にＣＤが当接している。そして、図４（ａ）に示すように、２枚の表面板７０ａ，７０ｂがまち部７１にて折り畳まれた状態となって販売されたり、貸し出されたりしている。
【００３１】
２枚の表面板７０ａ，７０ｂがまち部７１にて折り畳まれた状態においては、折り部６２ａが、片部６１ａと片部６１ｂとのなす角度が約０度となるように谷折りとなり、また、折り部６２ｂが、片部６１ｂと片部６１ｃとのなす角度が約０度となるように山折りとなり、また、折り部６２ｅが、片部６１ｂと片部６１ｅとのなす角度が約０度となるように山折りとなり、また、折り部６２ｄが、片部６１ｅと片部６１ｆとのなす角度が約０度となるように谷折りとなり、また、折り部６２ｆが、片部６１ｃと片部６１ｆとのなす角度が約０度となるように山折りとなり、また、折り部６２ｃが、片部６１ｃと片部６１ｄとのなす角度が約０度となるように谷折りとなる。すると、この折り片部６０の折り状態によって、片部６２ｆに連接した保持板５０は、２枚の表面板７０ａ，７０ｂにその全体が挟み込まれる位置となり、保持板５０に保持されたＣＤ２は、２枚の表面板７０ａ，７０ｂに挟み込まれて外部から保護されることとなる。この際、折り片部６０においては、折り部６２ｃ〜６２ｆにて折り畳まれることにより４枚の片部６１ｂ，６１ｄ，６１ｅ，６１ｆが重なり合う領域を有することになるが、この４枚の片部６１ｂ，６１ｄ，６１ｅ，６１ｆに対向しない領域にＣＤ２が保持された保持板５０が存在することになるため、２枚の表面板７０ａ，７０ｂをまち部７１にて折り畳んだ場合に、ＣＤケース１全体の厚さの均一化が図られることになる。
【００３２】
また、２枚の表面板７０ａ，７０ｂがまち部７１にて折り畳まれた状態においては、図４（ｂ）に示すように、フィルム基板３５に形成された配線パターン３３ａ，３４ａ，３３ｂ，３４ｂのうち、配線パターン３３ａ，３４ａ及びこれらの間が開放された開放部が導電部７２ａに対向するようになる。この際、フィルム基板３５には、配線パターン３３ａ，３４ａ，３３ｂ，３４ｂを取り囲むようにスペーサ３６が設けられているため、図４（ｃ）に示すように、配線パターン３３ａ，３４ａ及びこれらの間が開放された開放部は、導電部７２ａと対向するものの、これらは互いに離間している。
【００３３】
配線パターン３３ａ，３４ａのうち一方の配線パターン３３ａは、ＩＣ基板３２ａ内のＩＣチップのポート端子のうち、メモリ領域に記録された音声情報を音声情報出力部４０を介して出力するための指示信号が入力されるポート端子に接続され、他方の配線パターン３４ａは、ＩＣ基板３２ａ介してコイン電池３１のグランド端子に接続されている。そのため、この状態においては、図４（ｅ）に示すように、ＩＣ基板３２ａ内のＩＣチップのポート端子のうち、配線パターン３３ａに接続され、メモリ領域に記録された音声情報を音声情報出力部４０を介して出力するための指示信号が入力されるポート端子はオープン状態となっており、メモリ領域に記録された音声情報は音声情報出力部４０を介して出力されない。
【００３４】
配線パターン３３ａ，３４ａ及びこれらの間が開放された開放部は、導電部７２ａと対向した状態にて押下部７３が押されると、図４（ｄ）に示すように、その圧力が表面板７０ａ、片部６１ｂ、支え部材５１、表面シート１０及び支持シート２０ａを介してフィルム基板３５に伝わってフィルム基板３５が表面板７０ｂの表面に沿うように変形し、それにより、表面板７０ｂの折り畳み状態内側の面に形成された導電部７２ａを介して２つの配線パターン３３ａ，３４ａが電気的に接続された状態となる。すると、図４（ｆ）に示すように、配線パターン３４ａがＩＣ基板３２ａを介してコイン電池３１のグランド端子に接続されているため、配線パターン３３ａと接続されたポート端子、すなわち、メモリ領域に記録された音声情報を音声情報出力部４０を介して出力するための指示信号が入力されるポート端子がコイン電池３１による電源３１ａのグランド電位となり、それにより、ＩＣ基板３２ａのメモリ領域に記録された音声情報が音声情報出力部４０を介して出力されることになる。
【００３５】
次に、２枚の表面板７０ａ，７０ｂを見開いた状態の動作について説明する。
【００３６】
図５は、図１〜図３に示したＣＤケース１について２枚の表面板７０ａ，７０ｂを見開いた状態における動作を説明するための図であり、（ａ）は２枚の表面板７０ａ，７０ｂを見開いた状態を示す外観図、（ｂ）は２枚の表面板７０ａ，７０ｂを見開いた状態におけるフィルム基板３５と導電部７２ｂとの位置関係を示す図、（ｃ）はフィルム基板３５と導電部７２ｂとが対向した状態にて支え部材５１が押下されていない状態の断面図、（ｄ）はフィルム基板３５と導電部７２ｂとが対向した状態にて支え部材５１が押下された状態の断面図、（ｅ）は（ｃ）に示した状態における等価回路図、（ｆ）は（ｄ）に示した状態における等価回路図である。
【００３７】
ＣＤケース１に収納されたＣＤ２を取り出すために２枚の表面板７０ａ，７０ｂを見開くと、図５（ａ）に示すように、片部６１ａと片部６１ｂとのなす角度、片部６１ｂと片部６１ｃとのなす角度、片部６１ｂと片部６１ｅとのなす角度、片部６１ｅと片部６１ｆとのなす角度、片部６１ｃと片部６１ｆとのなす角度、及び片部６１ｃと片部６１ｄとのなす角度がそれぞれ１８０度に近づくように広がっていき、折り片部６０の折り状態が変化していく。すると、片部６２ｆに連接した保持板５０は、表面板７０ｂに対する相対位置が変化し、その一部が表面板７０ｂから飛び出したような状態となる。
【００３８】
このように２枚の表面板７０ａ，７０ｂを見開き、保持板５０の一部が表面板７０ｂから飛び出した状態において、保持板５０に保持されているＣＤ２を保持板５０から離脱する。
【００３９】
２枚の表面板７０ａ，７０ｂが見開かれた状態においては、図５（ｂ）に示すように、フィルム基板３５に形成された配線パターン３３ａ，３４ａ，３３ｂ，３４ｂのうち、配線パターン３３ｂ，３４ｂ及びこれらの間が開放された開放部が導電部７２ｂに対向するようになる。この際、フィルム基板３５には、配線パターン３３ａ，３４ａ，３３ｂ，３４ｂを取り囲むようにスペーサ３６が設けられているため、図５（ｃ）に示すように、配線パターン３３ｂ，３４ｂ及びこれらの間が開放された開放部は、導電部７２ｂと対向するものの、これらは互いに離間している。
【００４０】
配線パターン３３ｂ，３４ｂのうち一方の配線パターン３３ｂは、ＩＣ基板３２ｂ内のＩＣチップのポート端子のうち、メモリ領域に記録された音声情報を音声情報出力部４０を介して出力するための指示信号が入力されるポート端子に接続され、他方の配線パターン３４ｂは、ＩＣ基板３２ｂ介してコイン電池３１のグランド端子に接続されている。そのため、この状態においては、図５（ｅ）に示すように、ＩＣ基板３２ｂ内のＩＣチップのポート端子のうち、配線パターン３３ｂに接続され、メモリ領域に記録された音声情報を音声情報出力部４０を介して出力するための指示信号が入力されるポート端子はオープン状態となっており、メモリ領域に記録された音声情報は音声情報出力部４０を介して出力されない。
【００４１】
図１に示したＣＤケース１においては、保持板５０に保持されたＣＤ２を保持板５０から離脱させる場合、ＣＤ２のハブ孔２ａに嵌合している支え部材５１を指で押さえながらＣＤ２を離脱させることになる。この際、支え部材５１に対向する領域には、上述したように音声情報記録／再生部３０のフィルム基板３５に形成された配線パターン３３ａ，３４ａ，３３ｂ，３４ｂ及びこれらの間が開放された開放部が設けられているため、導電部７２ｂと対向した状態にて支え部材５１が押されると、図５（ｄ）に示すように、その圧力が支え部材５１、表面シート１０及び支持シート２０ａを介してフィルム基板３５に伝わってフィルム基板３５が表面板７０ｂの表面に沿うように変形し、それにより、表面板７０ｂの折り畳み状態内側の面に形成された導電部７２ｂを介して２つの配線パターン３３ｂ，３４ｂが電気的に接続された状態となる。すると、図５（ｆ）に示すように、配線パターン３４ｂがＩＣ基板３２ｂを介してコイン電池３１のグランド端子に接続されているため、配線パターン３３ｂと接続されたポート端子、すなわち、メモリ領域に記録された音声情報を音声情報出力部４０を介して出力するための指示信号が入力されるポート端子がコイン電池３１による電源３１ａのグランド電位となり、それにより、ＩＣ基板３２ｂのメモリ領域に記録された音声情報が音声情報出力部４０を介して出力されることになる。
【００４２】
このように本形態においては、２枚の表面板７０ａ，７０ｂが折り畳まれた状態にて押下部７３が押された場合にＩＣ基板３２ａのメモリ領域に記録された音声情報が再生され、また、２枚の表面板７０ａ，７０ｂが見開かれた状態にて支え部材５１が押された場合にＩＣ基板３２ｂのメモリ領域に記録された音声情報が再生されるような構成としたため、ＩＣ基板３２ａ，３２ｂのメモリ領域に互いに異なる２種類の音声情報を記録しておけば、２枚の表面板７０ａ，７０ｂが折り畳まれた状態と見開かれた状態とで異なる音声情報を再生することができる。そのため、例えば、ＩＣ基板３２ａのメモリ領域に、保持されたＣＤ２の種類によらない一律の音声情報を記録しておくとともに、ＩＣ基板３２ｂのメモリ領域に、保持されたＣＤ２に応じた情報を記録しておけば、保持されたＣＤ２について大きな宣伝効果を生じさせることができる。
【００４３】
また、２枚の表面板７０ａ，７０ｂが見開かれた場合に音声情報を再生するための配線パターン３３ｂ，３４ｂが形成されたフィルム基板３５が、ＣＤ２のハブ孔２ａに嵌合する支え部材５１に対向する領域に設けられているため、支え部材５１を押しながらＣＤ２を離脱させようとするだけで、ＩＣ基板３２ｂのメモリ領域に記録された音声情報を再生することができる。
【００４４】
また、音声情報記録／再生部３０が保持板５０に設けられていることにより、表面板７０ａ，７０ｂや折り片部６０を構成する片部６１ａ〜６１ｆに、保持板５０の音声出力領域１１のような微細な穴を形成する必要がなく、それにより、表面板７０ａ，７０ｂや折り片部６０を構成する片部６１ａ〜６１ｆに情報を印字する場合に印字しにくくなることがない。保持板５０は、ＣＤ２が当接するものであるため、文字情報を印字する可能性が低く、そのため、微細な穴が形成された音声出力領域１１を設けても情報伝達における影響は小さい。
【００４５】
また、音声情報記録／再生部３０が保持板５０に設けられていることにより、表面板７０ａ，７０ｂに音声情報記録／再生部３０を内蔵する必要がなく、そのため、表面板７０ａ，７０ｂをそれぞれ例えば袋状に構成することにより、音声情報記録／再生部３０を内蔵しながらも、表面板７０ａ，７０ｂに歌詞カード等を挿入可能な構成とすることもできる。
【００４６】
なお、本形態においては、保持板５０のフィルム基板３５に形成された配線パターン３３ａ，３４ａ，３３ｂ，３４ｂ間が開放された開放部に対向する領域に支え部材５１が設けられているが、保持板５０を構成する表面シート１０の支え部材５１が設けられた領域に、支え部材５１よりも小さな径を有する穴部を設けることも考えられる。そのような構成とすれば、表面板７０ａの押下部７３や、保持板５０の支え部材５１を指で押さえた場合、その圧力がフィルム基板３５に伝達されやすくなり、押下部７３や支え部材５１を弱い力で押さえた場合であっても、ＩＣ基板３２ａ，３２ｂのメモリ領域に記録された音声情報を音声情報出力部４０を介して出力することができるようになる。なお、保持板５０の表面シート１０に設ける穴部の径を支え部材５１よりも小さなものとしたのは、支え部材５１を保持板５０に接着剤等によって固定するために支え部材５１の一部を保持板５０に当接させる必要があるからである。
【００４７】
また、ピエゾ素子４１及び振動板４２からなる音声情報出力部４０の形状を大きくすることにより、メモリ領域に記録された音声情報の出力音量を大きくすることができるが、音声情報出力部４０の形状を大きくすると、支持シート２０ａ，２０ｂにそれぞれ形成される穴部２１，２４の大きさも大きくする必要が生じ、それにより、保持板５０の剛性が低下してしまうため、音声情報出力部４０の形状は、支持シート２０ａ，２０ｂによる保持板５０の剛性を考慮して設計することが好ましい。
【００４８】
また、本形態においては、配線パターン３３ａ，３４ａ，３３ｂ，３４ｂが形成されたフィルム基板３５が、ＣＤ２のハブ孔２ａに嵌合する支え部材５１に対向する領域に設けられているが、保持板５０に他の領域から突出するような領域を設け、その領域にフィルム基板３５を配置してもよい。その場合、表面板７０ａに設けられる押下部７３においてを、２枚の表面板７０ａ，７０ｂが折り畳まれた状態にてその突出部分に対向する領域に設けるとともに、保持板５０の突出した領域には、音声を再生するために押下する旨を表示しておく必要がある。
【００４９】
また、表面板７０ｂに形成される導電部７２ａ，７２ｂは、２枚の表面板７０ａ，７０ｂが完全に見開かれない状態にて支え部材５１が押された場合や、２枚の表面板７０ａ，７０ｂが見開かれていく途中にて支え部材５１が押された場合にも音声情報を再生可能とするために、２枚の表面板７０ａ，７０ｂが見開かれていく際に配線パターン３３ａ，３４ａ，３３ｂ，３４ｂ及びこれらが開放された開放部が辿る軌跡上に形成しておくことも考えられる。
【００５０】
また、保持板５０に保持されるディスク型記録媒体としては、ＣＤ２に限らずＤＶＤ等、ハブ孔を有するものであれば適用することができる。
【図面の簡単な説明】
【００５１】
【図１】本発明のディスク記録媒体保持体の実施の一形態となるＣＤケースを示す図であり、（ａ）は外観図、（ｂ）は（ａ）に示した保持板内部の構成を示す図、（ｃ）は（ｂ）に示したＡ−Ａ’断面図である。
【図２】図１に示した保持板の積層状態を示す図である。
【図３】図１に示した表面板の構造を示す図であり、（ａ）は表面板の折り畳み状態外側となる面を示す図、（ｂ）は表面板の折り畳み状態内側となる面を示す図である。
【図４】図１〜図３に示したＣＤケースについて２枚の表面板を折り畳んだ状態における動作を説明するための図であり、（ａ）は２枚の表面板を折り畳んだ状態を示す外観図、（ｂ）は２枚の表面板を折り畳んだ状態におけるフィルム基板と導電部との位置関係を示す図、（ｃ）はフィルム基板と導電部とが対向した状態にて押下部が押下されていない状態の断面図、（ｄ）はフィルム基板と導電部とが対向した状態にて押下部が押下された状態の断面図、（ｅ）は（ｃ）に示した状態における等価回路図、（ｆ）は（ｄ）に示した状態における等価回路図である。
【図５】図１〜図３に示したＣＤケースについて２枚の表面板を見開いた状態における動作を説明するための図であり、（ａ）は２枚の表面板を見開いた状態を示す外観図、（ｂ）は２枚の表面板を見開いた状態におけるフィルム基板と導電部との位置関係を示す図、（ｃ）はフィルム基板と導電部とが対向した状態にて支え部材が押下されていない状態の断面図、（ｄ）はフィルム基板と導電部とが対向した状態にて支え部材が押下された状態の断面図、（ｅ）は（ｃ）に示した状態における等価回路図、（ｆ）は（ｄ）に示した状態における等価回路図である。
【符号の説明】
【００５２】
１    ＣＤケース
２    ＣＤ
２ａ    ハブ孔
１０    表面シート
１１    音声出力領域
２０ａ，２０ｂ    支持シート
２１，２２，２３ａ，２３ｂ，２４    穴部
３０    音声情報記録／再生部
３１    コイン電池
３１ａ    電源
３２ａ，３２ｂ    ＩＣ基板
３３ａ，３３ｂ，３４ａ，３４ｂ    配線パターン
３５    フィルム基板
３６    スペーサ
４０    音声情報出力部
４１    ピエゾ素子
４２    振動板
５０    保持板
５１    支え部材
６０    折り片部
６１ａ〜６１ｆ    片部
６２ａ〜６２ｆ    折り部
７０ａ，７０ｂ    表面板
７１    まち部
７２ａ，７２ｂ    導体領域
７３    押下領域
【図１】
0005041998.tif 000002
【図２】
0005041998.tif 000003
【図３】
0005041998.tif 000004
【図４】
0005041998.tif 000005
【図５】
0005041998.tif 000006